(57)【要約】【課題】  簡単な構造で、狭い圃場でも操作が容易なマルチシート敷設用具を提供する。【解決手段】  ほぼ円形のリング２の外周の外方向に、放射状に棒状部材３を設けてマルチシート敷設用具とする。予め畝を覆うように圃場に敷かれたマルチシートの所要の部分の上を、本発明のマルチシート敷設用具１を転動させると、マルチシートが間欠的に土壌深く埋め込まれた部分が形成され、マルチシートが圃場表面に固定される。【選択図】図１
2011234709.tif 000002
【特許請求の範囲】
【請求項１】
ほぼ円形のリングと、前記リングの外周の外方向に、複数の棒状部材が放射状に設けられてなることを特徴とする、マルチシート敷設用具。
【請求項２】
前記棒状部材の先端部に、前記リングがなす平面とほぼ垂直な部分が設けられてなることを特徴とする、請求項１に記載のマルチシート敷設具。
【請求項３】
前記リングのほぼ中心軸上に、前記リングの転動補助手段となる、ほぼ円形の第二のリングが、前記リングとほぼ平行な面をなすように、設けられてなることを特徴とする、請求項１または請求項２に記載のマルチシート敷設用具。
【発明の詳細な説明】
【技術分野】
【０００１】  本発明は、圃場にマルチシートを敷設するための用具に関し、特に人力で操作することが可能な小型で簡便な構造のマルチシート敷設用具に関するものである。
【背景技術】
【０００２】  マルチシートはポリエチレンなどの合成高分子材料からなるものが市販されていて、一部には生分解性高分子材料からなるものも使用されている。その機能は、土壌の保湿、保温、さらには肥料の流出防止、雑草の生長抑制など、多岐に亘るものである。【０００３】  その使用形態は、畑の畝を覆うようにマルチシートを敷設し、一定の間隔で穴を開け、穴の部分に播種したり、苗を植えたりするのが一般的である。【０００４】  マルチシートを圃場に敷設するには、単に畝をマルチシートで覆うだけでなく、風などで飛ばされないように、マルチシートの幅方向の両端を土壌に埋めたり、一定間隔で杭を打ったりして固定する必要がある。従って敷設には相応の手間を要し、種々の敷設装置が開発、市販されている。【０００５】  例えば、特許文献１には、マルチシートの幅方向の端部を埋め込むための溝を形成しながら、ロール状に巻き取られたマルチシートを繰り出し、敷設することが可能なマルチ敷設機が開示されている。しかし、前記のマルチ敷設機に限らず、多くのものはトラクタでの牽引や、エンジンでの自走が前提になっていて、小規模の圃場での使用には必ずしも適しているものではない。【０００６】  この問題に対処する技術の例として、特許文献２には、大掛かりな機械を必要としない、人力運転が可能なフィルム状シート敷設装置が開示されている。しかし、これも小規模な圃場や、畝の間隔が狭い場合などでは、必ずしも使用が容易ではないと考えられる。
【先行技術文献】
【特許文献】
【０００７】
【特許文献１】  特開２００７−１８９９９２号公報
【特許文献２】  特開２００２−１８６３６６号公報
【発明の概要】
【発明が解決しようとする課題】
【０００８】  従って、本発明の課題は、簡単な構造で、狭い圃場でも操作が容易なマルチシート敷設用具を提供することにある。
【課題を解決するための手段】
【０００９】  本発明は、前記の課題解決のため、マルチシートの端部を土壌中に埋め込む固定する作業に特化した、簡便な構造で使用が容易な器具を種々検討した結果なされたものである。【００１０】  即ち、本発明は、ほぼ円形のリングと、前記リングの外周の外方向に放射状に設けられた複数の棒状部材を有することを特徴とする、マルチシート敷設用具である。【００１１】  また、本発明は、前記棒状部材の先端部に、前記リングがなす平面とほぼ垂直な部分が設けられてなることを特徴とする、前記のマルチシート敷設具である。【００１２】  また、本発明は、前記リングのほぼ中心軸上に、前記リングの転動補助手段となる、ほぼ円形の第二のリングが、前記リングとほぼ平行な面をなすように、設けられてなることを特徴とする、前記のマルチシート敷設用具である。
【発明の効果】
【００１３】  本発明のマルチシート敷設用具は、円形のリングの外側に棒状の部材が取り付けられているので、これを土壌表面で転動させると、棒状部材の先端が土壌に深く挿入される。これに対し、単なるリングを転動させる場合では、土壌とリング設置面積が、本発明のマルチシート敷設用具に比較すると大きくなるので、十分に深く土壌に嵌入するのが困難である。【００１４】  ただし、土壌の面に対して垂直に近い角度で、棒状部材を挿入すると、薄いマルチシートを用いた場合では、破れてしまうので、棒状部材の先端部には前記リングがなす面とほぼ垂直な部分を設けることが望ましく、さらには、棒状部材の取り付け角度を、２０〜８０°とするのが望ましい。【００１５】  前記のような構成とすることで、予め畝を覆うように圃場に敷かれたマルチシートの所要の部分の上を、本発明のマルチシート敷設用具を転動させると、マルチシートが間欠的に土壌深く埋め込まれた部分が形成され、マルチシートが圃場表面に固定される。しかも、本発明のマルチシート敷設用具は、構造が極めて簡略で、人力で操作可能であり、特に狭い場所では、その機能を十分に発揮できる。
【図面の簡単な説明】
【００１６】
【図１】  本発明に係るマルチシート敷設用具の第一の例を示す斜視図。
【図２】  本発明に係るマルチシート敷設用具の第二の例を示す斜視図。
【図３】  本発明に係るマルチシート敷設用具の第二の例を示す図、図３（ａ）は正面図、図３（ｂ）は側面図。
【発明を実施するための形態】
【００１７】  次に本発明の実施の形態について、具体的な図を参照しながら説明する。
【００１８】  図１は、本発明に係るマルチシート敷設用具の第一の例を示す斜視図である。図１において、１はマルチシート敷設用具、２はリング、３は棒状部材である。この例においては、棒状部材３の先端に、リング２がなす平面に対して、ほぼ垂直な部分が設けられ、リング２に１２個等間隔で接合してある。
【００１９】  また、用いる材質は特に限定されないが、ある程度の重量を具備している方が、棒状部材３を土壌に嵌入させるのが容易なので、金属製とすることが望ましい。さらには、価格や加工性を考慮すると鉄製とするのが望ましい。
【００２０】  図２は、本発明に係るマルチシート敷設用具の第二の例を示す斜視図である。図２において、４はマルチシート敷設用具、５はリング、６は棒状部材、７は転動補助リングである。本例では、リング５に転動補助リング７が接合されていて、使用の際に、圃場でマルチシート敷設用具４を自立させ、人力での転動を補助できる。
【００２１】  また、図３は、本発明に係るマルチシート敷設用具の第一の例の使用状態を示す図で、図３（ａ）は正面図、図３（ｂ）は側面図である。図３（ａ）が圃場における使用状態をも示していて、８はマルチシート、９は土壌である。図３（ａ）に示したように、予め敷かれたマルチシート８は、棒状部材３により、土壌９に嵌入される。
【００２２】  棒状部材３は、リング２に一定間隔で設けられているので、マルチシート敷設用具１を転動させることで、マルチシート８が土壌９に埋め込まれた箇所が間欠的に形成され、圃場に固定されることになる。
【００２３】  以上に説明したように、本発明によれば、マルチシートの敷設が容易となり、特に狭い圃場におけるマルチシート敷設の作業性が向上する。なお、本発明は、前記実施の形態に限定されるものではなく、本発明の分野における通常の知識を有する者であれば想到し得る、各種変形、修正を含む要旨を逸脱しない範囲の設計変更があっても、本発明に含まれることは勿論である。
【符号の説明】
【００２２】１，４  マルチシート敷設用具
２，５  リング
３，６  棒状部材
７      転動補助リング
８      マルチシート
９      土壌
【図１】
2011234709.tif 000003
【図２】
2011234709.tif 000004
【図３】
2011234709.tif 000005
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
ほぼ円形のリングと、前記リングの外周の外方向に、複数の棒状部材が放射状に設けられ、前記棒状部材の先端部に、前記リングがなす平面とほぼ垂直な部分が設けられてなることを特徴とする、マルチシート敷設用具。
【請求項２】
前記リングのほぼ中心軸上に、前記リングの転動補助手段となる、ほぼ円形の第二のリングが、前記リングとほぼ平行な面をなすように、設けられてなることを特徴とする、請求項１に記載のマルチシート敷設用具。